(57)【要約】【課題】移動機を特定する情報を暗号化して位置登録要求時に基地局へ送信する通信方式を用いる移動機であっても、見つけ易くすること。【解決手段】移動機検索装置１０では、通信妨害部１１が移動体通信網を介して通信を行う移動機２０と移動体通信網に含まれる基地局との間の通信を妨害する妨害波を発信し、擬似波送信部１２が移動機２０において基地局から発信される基地局波より受信レベルが高く、移動機２０において基地局波であると認識する擬似基地局波を発信する。擬似基地局波に応じて前記移動機から送信される位置登録要求を要求受信部１３が受信し、移動機２０と移動機検索装置１０との間に通信経路が確立される。その通信経路を用いて、制御信号送信部１４は、移動機２０においてブザー又は振動を発生させる制御信号を移動機２０へ送信する。【選択図】図１
2008153877.tif 000002
【特許請求の範囲】
【請求項１】
移動体通信網を介して通信を行う移動機と前記移動体通信網に含まれる基地局との間の通信を妨害する妨害波を発信する通信妨害手段と、
前記移動機において前記基地局から発信される基地局波より受信レベルが高く、前記移動機において前記基地局波であると認識する擬似基地局波を発信する擬似波送信手段と、
前記擬似波送信手段によって発信された前記擬似基地局波に応じて前記移動機から送信される位置登録要求を受信する要求受信手段と、
前記要求受信手段によって受信された前記位置登録要求に応じて前記移動機と自機との間に確立された通信経路を用いて、前記移動機においてブザー又は振動を発生させる制御信号を前記移動機へ送信する制御信号送信手段と、
を備えることを特徴とする移動機検索装置。
【請求項２】
前記通信妨害手段は、前記移動機における前記基地局との間のフレームの同期を外す前記妨害波を発信することを特徴とする請求項１に記載の移動機検索装置。
【請求項３】
前記通信妨害手段は、前記要求受信手段によって前記位置登録要求が受信されるまで、前記妨害波を発信することを特徴とする請求項１又は２に記載の移動機検索装置。
【請求項４】
前記要求受信手段によって受信された前記位置登録要求に応じて確立された通信経路を用いて、コメントを前記移動機へ配信するコメント配信手段を備えることを特徴とする請求項１〜３のいずれか１項に記載の移動機検索装置。
【請求項５】
前記移動機は、Ｗ−ＣＤＭＡ方式を用いて通信を行うことを特徴とする請求項１〜４のいずれか１項に記載の移動機検索装置。
【発明の詳細な説明】
【技術分野】
【０００１】
本発明は、例えば、災害等によって瓦礫に埋もれた人が所持する移動機を探索するために用いる移動機検索装置に関する。
【背景技術】
【０００２】
この種の装置として、移動体通信網を介して通信を行う移動機を探索する装置がある。下記特許文献１には、電波を発信して、探索対象の移動機において擬似的に基地局波として捕獲させ、続いて移動機から送信される位置登録要求を受信し、その位置登録要求が送信された方向を特定する装置について記載されている。
【０００３】
また、位置登録要求に含まれる情報から移動機の電話番号を抽出し、その電話番号から移動機のユーザを特定する技術が、下記特許文献１に記載されている。
【特許文献１】特開２００３−２９９１３３号公報
【発明の開示】
【発明が解決しようとする課題】
【０００４】
上記特許文献１に記載の技術では、位置登録要求が送信された方向を特定することにより、移動機の存在する方向を特定できるものの、移動機の存在場所をより見つけ易くする装置が求められる。そこで、上述したように、位置登録要求に含まれる情報から移動機の電話番号が抽出できれば、その電話番号を用いてユーザ情報を取得することにより、ユーザ又は移動機の存在場所が見つけ易くなる可能性はある。
【０００５】
しかし、Ｗ−ＣＤＭＡ（Wideband Code Division Multiple Access）方式を用いて通信を行う移動機では、位置登録要求に含まれる情報が暗号化されている。よって、位置登録要求に含まれる情報のみから電話番号等の移動機を特定する情報を抽出することは困難である。
【０００６】
そこで、移動機を特定する情報を暗号化して位置登録要求時に基地局へ送信する通信方式を用いる移動機であっても、見つけ易くすることが可能な移動機検索装置を提供することを目的とする。
【課題を解決するための手段】
【０００７】
本発明に係る移動機検索装置は、移動体通信網を介して通信を行う移動機と移動体通信網に含まれる基地局との間の通信を妨害する妨害波を発信する通信妨害手段と、移動機において基地局から発信される基地局波より受信レベルが高く、移動機において基地局波であると認識する擬似基地局波を発信する擬似波送信手段と、擬似波送信手段によって発信された擬似基地局波に応じて移動機から送信される位置登録要求を受信する要求受信手段と、要求受信手段によって受信された位置登録要求に応じて移動機と自機との間に確立された通信経路を用いて、移動機においてブザー又は振動を発生させる制御信号を移動機へ送信する制御信号送信手段と、を備えることを特徴とする。
【０００８】
本発明の移動機検索装置では、通信妨害手段が、移動機と基地局との間の通信を妨害する妨害波を発信するので、探索対象である移動機ではサービスエリア圏外と認識した状態になる。この状態において、擬似波送信手段が、擬似基地局波を発信するので、探索対象の移動機は、擬似基地局波を基地局波として認識してすると共に擬似基地局波をとまり木チャネルとして補足し、位置登録要求を発信することとなる。この移動機が発信する位置登録要求を要求受信手段が受信し、移動機と自機との間に通信経路が確立される。そして、制御信号送信手段が、確立された通信経路を用いて移動機においてブザー又は振動を発生させる制御信号を移動機へ送信するので、探索対象である移動機からブザー又は振動が発生する。このように、移動機が位置を知らせることとなるので、移動機を特定する情報を暗号化して位置登録要求時に基地局へ送信する通信方式を用いる移動機であっても、見つけ易くすることができる。
【０００９】
通信妨害手段は、移動機における基地局との間のフレームの同期を外す妨害波を発信することが望ましい。この構成によれば、移動機に対して、サービスエリア圏外であると確実に認識させることができる。
【００１０】
通信妨害手段は、要求受信手段によって位置登録要求が受信されるまで、妨害波を発信することが望ましい。この構成によれば、移動機と自機との間の通信経路を確立するための情報を含む位置登録要求を得た後に、妨害波の発信をタイミングよく停止することができる。
【００１１】
要求受信手段によって受信された位置登録要求に応じて確立された通信経路を用いて、コメントを移動機へ配信するコメント配信手段を備えることが望ましい。この構成によれば、移動機を所有しているユーザに所望のコメントを送ることができる。
【００１２】
移動機は、Ｗ−ＣＤＭＡ方式を用いて通信を行うことが好ましい。このような移動機は位置登録要求を暗号化して送信するので、移動機検索装置において移動機を特定する情報を取得できないが、移動機がブザー又は振動を発信することにより存在位置を知らせる。よって、容易にその存在位置を見つけることが可能となる。
【発明の効果】
【００１３】
本発明の移動機検索装置によれば、移動機を特定する情報を暗号化して位置登録要求時に基地局へ送信する通信方式を用いる移動機であっても、見つけ易くすることができる。
【発明を実施するための最良の形態】
【００１４】
以下、添付図面を参照して、本発明に係る移動機検索装置の実施形態について詳細に説明する。
【００１５】
図１に、本実施形態に係る移動機検索装置の機能的な構成を示す。本実施形態に係る移動機検索装置１０は、災害時に瓦礫の下に埋もれたユーザを探索するための装置である。例えば、オペレータは、移動機検索装置１０を操作すると共に、移動機検索装置１０を持って被災地の各箇所を移動しながら、周囲の瓦礫に埋もれたユーザが所有していると考えられる移動機２０の存在位置を移動機検索装置１０に探索させる。
【００１６】
移動機２０は、Ｗ−ＣＤＭＡ方式を用いて通信を行う携帯電話機である。移動機２０は、移動体通信網（図示せず）に含まれる商用的な基地局（以下「商用基地局」という）を介して位置登録を行い、移動体通信網を介して他の移動機と情報の送受信を行うように構成されている。
【００１７】
移動機２０は、一旦、商用基地局との通信が遮断されると、商用基地局のサービスエリア圏外にいると認識し、在圏するゾーンのとまり木チャネルのキャリアをスキャンする。とまり木チャネルとは、電源投入後又は圏外と認識後、移動機２０が最初に捕捉するチャネルのことである。とまり木チャネルは、各商用基地局の固有情報の報知、及び移動機２０における受信電力測定等に用いられる。
【００１８】
移動機２０は、とまり木チャネルを補足すると待ち受け状態となり、補足したとまり木チャネルの商用基地局に位置登録を要求する。この位置登録要求は、移動機２０において暗号化された上で送信される。移動体通信網において、移動機２０の位置登録が完了すると、商用基地局と移動機２０との間の通信経路が確立され、２者間における情報の送受信を行うことが可能な状態となる。
【００１９】
また、移動機２０は、３ＧＰＰ標準ＴＳ２５．３２４に対応し、商用基地局から送信される「BMC Schedule Message」及び「BMC CBS Message」のメッセージを処理できる構成となっている。これらのメッセージは、移動機検索装置１０と通信可能に構成されたメッセージ管理作成サーバ３０から移動機検索装置１０へ入力される。
【００２０】
移動機検索装置１０は、機能的な構成要素として、通信妨害部１１、擬似波送信部１２、要求受信部１３、制御信号送信部１４、及びコメント配信部１５を備える。
【００２１】
通信妨害部１１は、移動機２０と商用基地局との間の通信を妨害する妨害波を発信する。通信妨害部１１は、商用基地局から発信される商用基地局波と同一のチャネルで、商用基地局波の受信レベルより高いレベルの妨害波を発信する。妨害波は、移動機２０における商用基地局との間のフレームの同期を外すものである。
【００２２】
商用基地局とフレーム同期をとると共にその商用基地局のサービスエリア圏内にいると認識していた移動機２０は、妨害波を受信すると、商用基地局とのフレーム同期が外れ、サービスエリア圏外であると認識する。すなわち、妨害波とは、移動機２０と商用基地局との間のフレーム同期を外すことにより、移動機２０と商用基地局との間の通信を遮断し、移動機２０にサービスエリア圏外であると認識させるものである。
【００２３】
擬似波送信部１２は、通信妨害部１１が妨害波を発信している間に、移動機２０において商用基地局波であると認識する擬似基地局波を発信する。擬似波送信部１２は、移動機２０において商用基地局波より受信レベルが高くなるように、擬似基地局波を発信する。この擬似基地局波は、移動機２０にとまり木チャネルとして捕捉される。
【００２４】
擬似基地局波は、商用基地局波より指向性が鋭いことが好ましい。擬似基地局波の指向性が鋭いことにより、移動通信網における通常の通信を妨害することを防ぐことができる。
【００２５】
移動機２０は、サービスエリア圏外であると認識すると、とまり木チャネルを探索する。移動機２０は、受信レベルに応じてとまり木チャネルを選択するので、商用基地局波よりも移動機２０での受信レベルが高い擬似基地局波をとまり木チャネルとして選択することとなる。とまり木チャネルとして擬似基地局波を選択した移動機２０は、とまり木チャネルに含まれる擬似基地局の報知情報に基づいて、位置登録要求を移動機検索装置１０へ送信する。
【００２６】
要求受信部１３は、擬似波送信部１２によって発信された擬似基地局波に応じて移動機２０から送信される位置登録要求を受信する。要求受信部１３が、受信した位置登録を行うことにより、移動機２０と移動機検索装置１０との間に通信経路が確立される。
【００２７】
制御信号送信部１４は、要求受信部１３によって受信された位置登録要求に応じて移動機２０と移動機検索装置１０との間に確立された通信経路を用いて、移動機２０においてブザー及び振動を発生させる制御信号を移動機２０へ送信する。制御信号送信部１４は、メッセージ管理作成サーバ３０から入力される「BMC Schedule Message」又は「BMC CBS Message」のメッセージに制御信号を乗せて送信する。
【００２８】
移動機２０は、ブザー機能及び振動機能を備え、移動機検索装置１０から制御信号を受信すると、ブザー及び振動を発生させる。これにより、移動機２０の存在位置を知らせることができる。
【００２９】
コメント配信部１５は、要求受信部１３によって受信された位置登録要求に応じて確立された通信経路を用いて、コメントを移動機２０へ配信する。コメント配信部１５は、メッセージ管理作成サーバ３０から入力される「BMC CBS Message」のメッセージにコメントを乗せて送信する。コメントとは、例えば、移動機２０のユーザへのメッセージであり、「今、近くに救助にきています」等である。移動機検索装置１０のオペレータが、移動機検索装置１０の入力装置１０６を介して、任意の内容のコメントを入力することができる。
【００３０】
図２に、移動機検索装置のハードウェア構成を示す。図２に示すように、移動機検索装置１０は、ＣＰＵ（Central Processing Unit）１０１、主記憶装置であるＲＡＭ（Random Access Memory）１０２及びＲＯＭ(Read Only Memory)１０３、ネットワークカード等のデータ送受信デバイスである通信モジュール１０４、ハードディスク等の補助記憶装置１０５、キーボード等の移動機検索装置１０に対して情報を入力するための入力装置１０６、並びにモニタ等の情報を出力するための出力装置１０７等のハードウェアを備えるコンピュータとして構成される。これらの構成要素が動作することにより、移動機検索装置１０の上述した機能が発揮される。
【００３１】
移動機検索装置１０から発せられる上記妨害波及び擬似基地局波についてより詳細に説明する。図３は、本実施形態に係る移動機検索装置１０が妨害波及び擬似基地局波を発信するタイミングを示すグラフである。グラフの横軸は、時間と共に移動機２０の状態を示す。グラフの縦軸は、移動機検索装置１０における送信レベルを示す。
【００３２】
図３に示すように、商用基地局波が商用基地局から発信され、移動機２０は、その商用基地局波を補足して商用基地局のサービスエリア圏内にいると認識している。続いて、移動機検索装置１０の通信妨害部１１及び擬似波送信部１２によって、妨害波及び擬似基地局波が発信されると、移動機２０は、妨害波によりサービスエリア圏外にいると認識する。そして、移動機２０は、擬似基地局波を補足して、位置登録要求を行う。
【００３３】
移動機検索装置１０において位置登録が完了した段階で、通信妨害部１１は、妨害波の発信を終了する。妨害波の発信を開始してから終了するまで、約数秒〜数十秒程度である。妨害波の送信レベルは、商用基地局波よりの送信レベルより高く、擬似基地局波の送信レベルは、商用基地局波及び妨害波の送信レベルより高い。
【００３４】
引き続いて、移動機検索装置１０の動作について図４を参照して説明する。図４は、本実施形態に係る移動機検索装置の動作を示すシーケンス図である。
【００３５】
移動機検索装置１０において移動機２０の探索が開始されると、妨害波及び擬似基地局波が、通信妨害部１１及び擬似波送信部１２によって発信される（ステップＳ１）。発信された妨害波により、移動機２０において商用基地局との間の同期が外れ（ステップＳ２）、とまり木チャネルがスキャンされる（ステップＳ３）。
【００３６】
とまり木チャネルがスキャンされると、擬似基地局波が、移動機２０において補足されると共に待ち受けチャネルが選択されて待ち受け状態となる（ステップＳ４）。続いて、移動機２０から同期が確立した旨と、位置登録要求との情報が移動機検索装置１０へ送信される（ステップＳ５）。
【００３７】
移動機検索装置１０の要求受信部１３において、移動機２０から送信された位置登録要求が受信されると、通信妨害部１１による妨害波の発信が停止される（ステップＳ６）。位置登録要求が移動機検索装置１０において受信されると、移動機検索装置１０と移動機２０との間に通信経路が確立され、その通信経路を用いて、コメント及び制御信号が、「BMC CBS Message」のメッセージに乗せて送信される（ステップＳ７）。
【００３８】
移動機２０では、「BMC CBS Message」のメッセージが受信されると、コメントが表示部に表示され、制御信号によるブザー及び振動が発信される（ステップＳ８）。これにより、移動機２０の存在場所を知らせることができる。
【００３９】
以上説明したように、本実施形態の移動機検索装置１０では、通信妨害部１１が、移動機２０と商用基地局との間の通信を妨害する妨害波を発信するので、探索対象である移動機２０ではサービスエリア圏外と認識した状態になる。この状態において、擬似波送信部１２が、擬似基地局波を発信するので、探索対象の移動機２０は、擬似基地局波をとまり木チャネルとして補足し、位置登録要求を発信することとなる。この移動機２０が発信する位置登録要求を要求受信部１３が受信し、移動機２０と移動機検索装置１０との間に通信経路が確立される。そして、制御信号送信部１４が、確立された通信経路を用い、移動機２０においてブザー及び振動を発生させる制御信号を移動機２０へ送信するので、探索対象である移動機２０からブザー又は振動が発生する。よって、移動機２０の存在場所が知らされるので、移動機２０の電話番号を取得せずとも、移動機２０を見つけ易くなる。すなわち、移動機２０が電話番号を暗号化して位置登録要求時に商用基地局へ送信する通信方式を用いるものであっても、見つけ易くすることができる。
【００４０】
通信妨害部１１は、移動機２０における商用基地局との間のフレームの同期を外す妨害波を発信するので、移動機２０においてをより確実にサービスエリア圏外であると認識させることができる。
【００４１】
通信妨害部１１は、要求受信部１３によって位置登録要求が受信されるまで、妨害波を発信するので、移動機２０と移動機検索装置１０との間の通信経路を確立するための情報を含む位置登録要求を得た後に、妨害波の発信をタイミングよく停止することができる。
【００４２】
コメント配信部１５が、要求受信部１３によって受信された位置登録要求に応じて確立された通信経路を用いて、コメントを移動機へ配信するので、移動機２０を所有しているユーザに探索側から所望のコメントを送ることができる。
【００４３】
移動機２０は、Ｗ−ＣＤＭＡ方式を用いており、位置登録要求を暗号化して送信するので移動機検索装置１０において移動機２０の電話番号を取得できないが、ブザー及び振動を発信することにより存在位置を知らせることができる。
【００４４】
上記実施形態では、移動機２０が「BMC Schedule Message」及び「BMC CBS Message」のメッセージを処理できるものであるとしたが、いずれか１つのメッセージであってもよい。その場合、移動機検索装置１０は、移動機２０が処理できるメッセージに、ブザー及び振動を発信させる制御信号及びコメントを乗せて送信する。
【００４５】
上記実施形態では、移動機２０がＷ−ＣＤＭＡ方式を用いるものとしたが、これに限られず、移動機検索装置１０から送信される制御信号に応じて、ブザー又は振動を発信するものであればよい。
【図面の簡単な説明】
【００４６】
【図１】本実施形態に係る移動機検索装置の機能的な構成を示す。
【図２】本実施形態に係る移動機検索装置のハードウェア構成を示す。
【図３】本実施形態に係る移動機検索装置が妨害波及び擬似基地局波を発信するタイミングを示すグラフである。
【図４】本実施形態に係る移動機検索装置の動作を示すシーケンス図である。
【符号の説明】
【００４７】
１０…移動機検索装置、１１…通信妨害部、１２…擬似波送信部、１３…要求受信部、１４…制御信号送信部、１５…コメント配信部、２０…移動機。
【図１】
2008153877.tif 000003
【図２】
2008153877.tif 000004
【図３】
2008153877.tif 000005
【図４】
2008153877.tif 000006